(57)【特許請求の範囲】
【請求項１】
ＵＥ（User Equipment）へ、少なくとも１つのoperator-defined access category definitionsを含むREGISTRATION ACCEPTメッセージを送信し、少なくとも１つのoperator-defined access category definitionsを含むことによって、前記ＵＥにREGISTRATION COMPLETEメッセージを送信させ、
前記ＵＥから、前記少なくとも１つのoperator-defined access category definitionsの肯定応答受信を示すREGISTRATION COMPLETEメッセージを受信する、コアネットワークノードのための方法。
【請求項２】
さらに、前記コアネットワークノードが前記REGISTRATION ACCEPTメッセージを送るとき、タイマを始動させ、
前記コアネットワークノードは、前記タイマが終了する前に、前記コアネットワークノードが前記REGISTRATION COMPLETEメッセージを受信しない場合、前記REGISTRATION ACCEPTメッセージを送信するように構成される、請求項１に記載の方法。
【請求項３】
コアネットワークノードから、少なくとも１つのoperator-defined access category definitionsを含むREGISTRATION ACCEPTメッセージを受信し、
受信された前記少なくとも１つのoperator-defined access category definitionsを記憶し、
前記コアネットワークノードへ、受信された前記少なくとも１つのoperator-defined access category definitionsの肯定応答を示すREGISTRATION COMPLETEメッセージを送信する、ＵＥ（User Equipment）のための方法。
【請求項４】
さらに、前記ＵＥが、operator-defined access category definitionsを既に記憶済みである場合、受信された前記少なくとも１つのoperator-defined access category definitionsを記憶する前に、記憶されたoperator-defined access category definitionsを削除する、請求項３に記載の方法。
【請求項５】
さらに、前記コアネットワークノードが、タイマが終了する前に、前記REGISTRATION COMPLETEメッセージを受信しなかった場合、前記コアネットワークノードから、少なくとも１つのoperator-defined access category definitionsを含む第２のREGISTRATION ACCEPTメッセージを受信し、
前記コアネットワークノードが前記REGISTRATION ACCEPTメッセージを送信するとき、前記タイマが計時を開始する、請求項３又は４に記載の方法。
【請求項６】
さらに、前記コアネットワークノードへ、REGISTRATION REQUESTメッセージを送信し、
前記REGISTRATION REQUESTメッセージを送信したことに基づいてタイマを始動させ、
前記ＵＥは、前記タイマが終了したことに基づいて、前記コアネットワークノードへREGISTRATION REQUESTメッセージを送信するように構成される、請求項３乃至５のいずれか１項に記載の方法。
【請求項７】
前記REGISTRATION REQUESTメッセージは、前記ＵＥがoperator-defined access category definitionsを設定されていないことを示す、請求項６に記載の方法。
【請求項８】
ＵＥ（User Equipment）へ、少なくとも１つのoperator-defined access category definitionsを含むREGISTRATION ACCEPTメッセージを送信する手段と、ここで少なくとも１つのoperator-defined access category definitionsを含むことによって、前記ＵＥにREGISTRATION COMPLETEメッセージを送信させ、
前記ＵＥから、前記少なくとも１つのoperator-defined access category definitionsの肯定応答受信を示すREGISTRATION COMPLETEメッセージを受信する手段と、を備える、コアネットワークノード。
【請求項９】
前記コアネットワークノードは、前記コアネットワークノードが前記REGISTRATION ACCEPTメッセージを送信するときに、タイマを始動する手段をさらに備え、
前記コアネットワークノードは、前記タイマが終了する前に、前記コアネットワークノードが前記REGISTRATION COMPLETEメッセージを受信しない場合、前記REGISTRATION ACCEPTメッセージを送信するように構成される、請求項８に記載のコアネットワークノード。
【請求項１０】
コアネットワークノードから、少なくとも１つのoperator-defined access category definitionsを含むREGISTRATION ACCEPTメッセージを受信する受信手段と、
受信された前記少なくとも１つのoperator-defined access category definitionsを記憶する記憶手段と、
前記コアネットワークノードへ、受信された前記少なくとも１つのoperator-defined access category definitionsの肯定応答を示すREGISTRATION COMPLETEメッセージを送信する送信手段と、を備える、ＵＥ（User Equipment）。
【請求項１１】
前記ＵＥが、operator-defined access category definitionsを既に記憶済みである場合、受信された前記少なくとも１つのoperator-defined access category definitionsを記憶する前に、記憶されたoperator-defined access category definitionsを削除する削除手段をさらに備える、請求項１０に記載のＵＥ。
【請求項１２】
前記受信手段は、タイマが終了する前に、前記コアネットワークノードが前記REGISTRATION COMPLETEメッセージを受信しなかった場合、前記コアネットワークノードから、少なくとも１つのoperator-defined access category definitionsを含む第２のREGISTRATION ACCEPTメッセージを受信するように構成され、前記コアネットワークノードが前記REGISTRATION ACCEPTメッセージを送るとき、前記タイマが計時を始動する、請求項１０又は１１に記載のＵＥ。
【請求項１３】
前記コアネットワークノードへ、REGISTRATION REQUESTメッセージを送信する送信手段と、
前記REGISTRATION REQUESTメッセージを送信したことに基づいてタイマを始動させる手段をさらに備え、
前記ＵＥは、前記タイマが終了したことに基づいて、前記コアネットワークノードへREGISTRATION REQUESTメッセージを送るように構成される、請求項１０乃至１２のいずれか１項に記載のＵＥ。
【請求項１４】
前記REGISTRATION REQUESTメッセージは、前記ＵＥがoperator-defined access category definitionsにより構成されていないことを示す、請求項１３に記載のＵＥ。
【発明の詳細な説明】
【技術分野】
【０００１】
本開示は、統合アクセス制御に関連するパラメータを更新するための手続きに関する。
【背景技術】
【０００２】
５ＧＳにおいて、統合アクセス制御（ＵＡＣ：Unified Access Control）は、様々な状況（例えば、輻輳、ネットワークメンテナンス等）においてＵＥからのシグナリングのアクセス制御を実行するために定義される。ＵＥは、アクセス識別と、アクセスカテゴリとして分類されるイベントとにより構成される。アクセスカテゴリは、標準アクセスカテゴリと、operator defined access categoryとにさらに分類される。以下、operator defined access categoryは「ＰＬＭＮ operator defined access category」とも表わされる。ＰＬＭＮ operator defined access categoryは、ＮＡＳメッセージ内でＵＥへ送られる。現在のoperator defined access categoryは、１）ＤＮＮ、２）5G QoS ID、３）OS ID+APP ID、および４）Ｓ−ＮＳＳＡＩである。operator defined access categoryはＰＬＭＮベースである。
【０００３】
ＵＥがネットワークにアクセスすることが必要とされる場合、ＵＥのＮＡＳ層は、イベントのアクセスタイプとアクセスカテゴリとを決定する。ＵＥのＮＡＳ層は、アクセス制御手続きのために、このパラメータをＵＥのアクセスストラタム（例えば、ＲＲＣ層、ＳＤＡＰ層、ＰＤＣＰ層、ＲＬＣ層、ＭＡＣ層およびＰＨＹ層）に与える。アクセスカテゴリとアクセスタイプとに基づいたアクセス層は、ネットワークへのアクセスが許可されるか否かを決定する。ネットワークへのアクセスが許可される場合、次いでＵＥは、ＲＲＣ接続を確立し、次いで、initial ＮＡＳメッセージを送る。ネットワークへのアクセスがイベントに対して許可されない場合、アクセスストラタム（ＡＳ）層は、ＮＡＳ層に、アクセスがイベントに対して許可されないと通知する。この場合において、ＮＡＳ層は、ネットワークへのアクセスが許可されるようになるまで、ＮＡＳシグナリング接続を確立することも、ＮＡＳメッセージを送ることもしない。
【先行技術文献】
【非特許文献】
【０００４】
【非特許文献１】3GPP TS 24.501 V15.0.0 (2018-6)
【発明の概要】
【発明が解決しようとする課題】
【０００５】
課題ステートメント１：
ネットワークは、ＮＡＳメッセージ内でＯＤＡＣＤ（Operator-defined access category definitions）をＵＥへ送信する。しかしながら、ネットワークは、登録手続きが正常に完了した後に、Configuration Update Commandメッセージ内でＯＤＡＣＤを送る必要があるので、ＮＰＬ１において定義されるようなConfiguration Update Commandメッセージ内でＯＤＡＣＤを送ることは効率的ではない。これは、ＵＥにおけるＯＤＡＣＤの構成を遅延させることになり、そのため、登録手続きが完了した後にConfiguration Update CommandメッセージがＵＥに到達するまで、アクセス制御メカニズムはＵＥによって適用されない。加えて、５ＧＳは、いわゆるfollow-on requestと呼ばれる特徴を有する。follow-on requestの場合において、ＵＥは、登録手続きの完了の直後にＰＤＵセッションを確立するために、registration requestメッセージ内にアクティブフラグ情報要素を含む。この場合において、operator defined access categoryの下でMO callを限定するためのＵＡＣは、全く機能しない。
【０００６】
これらのシナリオにおいて、ネットワークが輻輳を受けており、ＵＥからのシグナリングを停止させたい場合、ネットワークは、シグナリングを停止させることができない。輻輳状況は悪化し得る。これは、ＯＤＡＣＤを伝達するための追加のシグナリングを必要とする。
【０００７】
さらに、（例えば、ＮＡＳメッセージがＵＥへ転送される前に、ＵＥとＮＧ−ＲＡＮとの間の無線リンク障害に起因して）ＮＡＳメッセージが失われる場合、ＯＤＡＣＤを含むＮＡＳメッセージはＵＥによって受信されないことがあるので、ネットワークがＯＤＡＣＤによりＵＥを構成する場合、ＯＤＡＣＤの受信が成功したという肯定応答がネットワークにおいて必要とされる。
【０００８】
課題ステートメント２：
ネットワークは、いくつかのネットワーク条件（例えば輻輳）に起因して、ＯＤＡＣＤによりＵＥを構成しないことがあり得る。そのような状況において、ネットワークは、どのＵＥがＯＤＡＣＤにより構成され、どのＵＥがＯＤＡＣＤにより構成されないのかを追跡しないことがあり得る。ネットワークは、ＯＤＡＣＤによりＵＥを構成することができないことがあり得る。そのようなＵＥは、構成されたＯＤＡＣＤを有さず、ＰＬＭＮにおいてＯＤＡＣＤを適用しないであろう。
【０００９】
また、いくつかの状況において、ネットワークは、ＵＥの現在のＯＤＡＣＤが何であるかを知ることができないことがある。このシナリオにおいて、ネットワークがＯＤＡＣＤによりＵＥを更新する必要がある場合、ネットワークは、どのＵＥが更新される必要があるのかを知らない。これは、ＵＥが、構成された最新のＯＤＡＣＤを既に有していても、ネットワークが、現在のＯＤＡＣＤによりすべてのＵＥを更新することにつながり得る。これは追加のシグナリングを招くことになるであろう。
【課題を解決するための手段】
【００１０】
本開示の第１の態様にかかる、コアネットワークノードのための方法は、ＵＥ（User Equipment）へ、少なくとも１つのoperator-defined access category definitionsを含むREGISTRATION ACCEPTメッセージを送信することであって、少なくとも１つのoperator-defined access category definitionsを含むことは、ＵＥにREGISTRATION COMPLETEメッセージを送らせる、送信することと、ＵＥから、少なくとも１つのoperator-defined access category definitionsの肯定応答受信を示すREGISTRATION COMPLETEメッセージを受信することとを含む。
【００１１】
本開示の第２の態様にかかるコアネットワークノードは、命令を記憶するメモリと、少なくとも１つのハードウェアプロセッサであって、ＵＥ（User Equipment）へ、少なくとも１つのoperator-defined access category definitionsを含むREGISTRATION ACCEPTメッセージを送信することであって、少なくとも１つのoperator-defined access category definitionsを含むことは、ＵＥにREGISTRATION COMPLETEメッセージを送らせる、送信することと、ＵＥから、少なくとも１つのoperator-defined access category definitionsの肯定応答受信を示すREGISTRATION COMPLETEメッセージを受信することとを行うための命令を処理するように構成された、少なくとも１つのハードウェアプロセッサとを含む。
【００１２】
本開示の第３の態様にかかるＵＥ（User Equipment）は、命令を記憶するメモリと、少なくとも１つのハードウェアプロセッサであって、コアネットワークノードから、少なくとも１つのoperator-defined access category definitionsを含むREGISTRATION ACCEPTメッセージを受信することと、受信された少なくとも１つのoperator-defined access category definitionsを記憶することと、コアネットワークノードへ、受信された少なくとも１つのoperator-defined access category definitionsの肯定応答を示すREGISTRATION COMPLETEメッセージを送ることとを行うための命令を処理するように構成された、少なくとも１つのハードウェアプロセッサとを含む。
【図面の簡単な説明】
【００１３】
【図１】解決策１のシグナリングフローを示す図である。
【図２】解決策２のシグナリングフローを示す図である。
【図３】ＵＥの一般的なブロック図を示す図である。
【図４】（Ｒ）ＡＮの一般的なブロック図を示す図である。
【図５】ＡＭＦの一般的なブロック図を示す図である。
【発明を実施するための形態】
【００１４】
略語
本文書のために、3GPP TR 21.905 V15.0.0(2018-03)において与えられている略語および下記を適用する。本文書において定義される略語は、もしあれば、3GPP TR 21.905 V15.0.0(2018-03)における同じ略語の定義に優先する。
5GC            5G Core Network
5GS            5G System
5G-AN            5G Access Network
5G-GUTI        5G Globally Unique Temporary Identifier
5G S-TMSI        5G S-Temporary Mobile Subscription Identifier
5QI            5G QoS Identifier
AF            Application Function
AMF            Access and Mobility Management Function
AN            Access Node
AS            Access Stratum
AUSF            Authentication Server Function
CM            Connection Management
CP            Control Plane
CSFB            Circuit Switched (CS) Fallback
DL            Downlink
DN            Data Network
DNAI            DN Access Identifier
DNN            Data Network Name
EDT            Early Data Transmission
EPS            Evolved Packet System
EPC            Evolved Packet Core
FQDN            Fully Qualified Domain Name
GFBR            Guaranteed Flow Bit Rate
GMLC            Gateway Mobile Location Centre
GPSI            Generic Public Subscription Identifier
GUAMI            Globally Unique AMF Identifier
HR            Home Routed (roaming)
I-RNTI            I-Radio Network Temporary Identifier
LADN            Local Area Data Network
LBO            Local Break Out (roaming)
LMF            Location Management Function
LRF            Location Retrieval Function
MAC            Medium Access Control
MFBR            Maximum Flow Bit Rate
MICO            Mobile Initiated Connection Only
MME            Mobility Management Entity
N3IWF            Non-3GPP Inter Working Function
NAI            Network Access Identifier
NAS            Non-Access Stratum
NEF            Network Exposure Function
NF            Network Function
NG-RAN        Next Generation Radio Access Network
NR            New Radio
NRF            Network Repository Function
NSI ID            Network Slice Instance Identifier
NSSAI            Network Slice Selection Assistance Information
NSSF            Network Slice Selection Function
NSSP            Network Slice Selection Policy
PCF            Policy Control Function
PEI            Permanent Equipment Identifier
PER            Packet Error Rate
PFD            Packet Flow Description
PLMN             Public land mobile network
PPD            Paging Policy Differentiation
PPI            Paging Policy Indicator
PSA            PDU Session Anchor
QFI            QoS Flow Identifier
QoE            Quality of Experience
(R)AN            (Radio) Access Network
RLC            Radio Link Control
RM            Registration Management
RQA            Reflective QoS Attribute
RQI            Reflective QoS Indication    
RRC            Radio Resource Control
SA NR            Standalone New Radio
SBA            Service Based Architecture
SBI            Service Based Interface
SD            Slice Differentiator
SDAP            Service Data Adaptation Protocol
SEAF            Security Anchor Functionality
SEPP            Security Edge Protection Proxy
SMF            Session Management Function
S-NSSAI        Single Network Slice Selection Assistance Information
SSC            Session and Service Continuity
SST            Slice/Service Type
SUCI            Subscription Concealed Identifier
SUPI            Subscription Permanent Identifier
UDSF            Unstructured Data Storage Function
UL            Uplink
UL CL            Uplink Classifier
UPF            User Plane Function
UDR            Unified Data Repository
URSP            UE Route Selection Policy
SMS            Short Message Service
SMSF            SMS Function
MT            Mobile Terminated
UAC                Unified Access Control
ODACD            Operator Defined Access Category Definitions
OS                Operating System
【００１５】
定義
本文書のために、3GPP TR 21.905 V15.0.0(2018-03)および下記において与えられている用語および定義を適用する。本文書において定義される用語は、もしあれば、3GPP TR 21.905 V15.0.0(2018-03)における同じ用語の定義に優先する。
【００１６】
第１の態様（課題ステートメント１を解決するための解決策１）：
ＮＡＳメッセージ内でＯＤＡＣＤの受信を肯定応答するＮＡＳメッセージを送信する。
【００１７】
解決策１の第１の態様のいくつかの実例は、下記の通りである。
１．ネットワークは、ＵＥに対してＮＡＳメッセージ内でＯＤＡＣＤを送り、タイマを始動させる。１つの場合において、ネットワークは、ＯＤＡＣＤの受信の肯定応答を送信するようにＵＥに要求するインジケーションを含む。
【００１８】
２．ＵＥは、ＯＤＡＣＤのみ、またはＯＤＡＣＤと、ＯＤＡＣＤの受信の肯定応答を送るようにＵＥに要求するインジケーションとの両方を含むＮＡＳメッセージを受信すると、過去に受信されたＯＤＡＣＤを除去し、第１のＮＡＳメッセージ内の新たに受信されたＯＤＡＣＤを記憶し、ＯＤＡＣＤの受信成功を示すインジケータを含むＮＡＳメッセージをネットワークへ送信する。ＵＥは、受信されたＯＤＡＣＤパラメータを統合アクセス制御において適用する。
【００１９】
３．ステップ１において始動されたタイマが終了したとき、ネットワークは、ステップ１において定義されたような内容を有する別のＮＡＳメッセージを再送信する。
【００２０】
解決策１の第１の態様の別の実例は、下記および図１において説明される。
【００２１】
１−２．ネットワークは、ＵＥに対してOperator-defined access category definitionss（ＯＤＡＣＤ）情報要素を含む第１のNon Access Stratum（ＮＡＳ）メッセージを送信する。ネットワークは、第１のＮＡＳメッセージを送信した後にタイマＴ１を始動させる。
【００２２】
一例において、第１のＮＡＳメッセージは、ＯＤＡＣＤと、ＯＤＡＣＤの受信の肯定応答として第２のＮＡＳメッセージを送るようにＵＥに要求するＡｃｋ情報要素とを含む。ＡＣＫ情報およびＯＤＡＣＤが第１のＮＡＳメッセージに含まれている場合にのみ、ネットワークはタイマＴ１を始動させる。すなわち、第１のＮＡＳメッセージがＯＤＡＣＤおよびＡＣＫ情報要素を含まない場合、ネットワークはタイマＴ１を始動させない。
【００２３】
３．ＵＥは、第１のＮＡＳメッセージを受信する。ＵＥは、過去に受信されたＯＤＡＣＤを除去し、第１のＮＡＳメッセージ内の新たに受信されたＯＤＡＣＤを最新のＯＤＡＣＤとして記憶する。
【００２４】
４．ＵＥは、第１のＮＡＳメッセージがＯＤＡＣＤ情報要素を含むかどうかを決定する。第１のＮＡＳメッセージがＯＤＡＣＤ情報要素を含む場合、ＵＥは、第１のＮＡＳメッセージまたは単なるＮＡＳメッセージ内で、現在のＯＤＡＣＤ、または現在のＯＤＡＣＤとＯＤＡＣＤの受信成功を示すＡＣＫ情報要素とを含む第２のＮＡＳメッセージを送信する。
【００２５】
一例において、第１のＮＡＳメッセージがＯＤＡＣＤおよびＡＣＫ情報要素を含む場合、ＵＥは、第１のＮＡＳメッセージまたは単なるＮＡＳメッセージ内で、現在のＯＤＡＣＤ、または現在のＯＤＡＣＤとＯＤＡＣＤの受信成功を示すＡＣＫ情報要素とを含む第２のＮＡＳメッセージを送信する。
【００２６】
５．第２のＮＡＳメッセージは失われる。
【００２７】
６−８．タイマＴ１が終了し、ネットワークは第３のＮＡＳメッセージを再送信する。第３のＮＡＳメッセージは、ＵＥの最新のＯＤＡＣＤを含む。ネットワークは、ステップ１において説明されたような手続きに従う。一例において、ステップ６におけるタイマ終了は、ステップ１における第１のＮＡＳメッセージが失われる状況で発生し得る。
【００２８】
９−１０．第３のＮＡＳメッセージを受信すると、ＵＥは、ステップ３およびステップ４において説明されたような手続きを実行する。
【００２９】
１１．ＯＤＡＣＤの受信成功を示す情報要素を含む第４のＮＡＳメッセージ受信すると、ネットワークはタイマＴ１を停止させる。一例において、ネットワークは、ＯＤＡＣＤ、またはＯＤＡＣＤとＯＤＡＣＤの受信成功を示す情報要素とを受信した場合、タイマＴ１を停止させる。一例において、ネットワークは、ＯＤＡＣＤの受信成功を示す第４のＮＡＳメッセージ受信した場合、タイマＴ１を停止させるであろう。すなわち、第４のＮＡＳメッセージは、ＯＤＡＣＤの受信のいかなる肯定応答またはＯＤＡＣＤ自体も含まない。
【００３０】
一例において、第１のＮＡＳメッセージおよび第３のＮＡＳメッセージは、ＴＳ  ２４．５０１［４］において定義されるようなRegistration Acceptメッセージであり、第２のＮＡＳメッセージおよび第４のＮＡＳメッセージは、ＴＳ  ２４．５０１［４］において定義されるようなRegistration completeメッセージである。
【００３１】
タイマＴ１の単位は、ミリ秒、秒、分または時間であってもよい。
【００３２】
一例において、第１のＮＡＳメッセージまたは第３のＮＡＳメッセージは、ＴＳ  ２４．５０１［４］において定義されるようなDL NAS TRANSPORTであり、第２のＮＡＳメッセージまたは第４のＮＡＳメッセージは、ＴＳ  ２４．５０１［４］において定義されるようなUL NAS TRANSPORTである。タイマＴ１は新しいタイマである。
【００３３】
一例において、第１のＮＡＳメッセージまたは第３のＮＡＳメッセージは、新しいＮＡＳメッセージ、またはConfiguration Update Command以外の既存のＮＡＳメッセージであり、第２のＮＡＳメッセージまたは第４のＮＡＳメッセージは、別の新しいメッセージ、またはConfiguration Update Completeメッセージ以外の既存のＮＡＳメッセージである。タイマＴ１は新しいタイマである。
【００３４】
一例において、解決策１におけるネットワークまたは５ＧＣは、ＡＭＦである。一例において、解決策１におけるネットワークはＭＭＥである。
【００３５】
解決策１の一例において、ＡＣＫ情報要素は、常にＯＤＡＣＤ情報要素と共に設定される。しかしながら、第１のＮＡＳメッセージまたは第３のＮＡＳメッセージ内のすべての情報がＵＥによって適切に受信されたことを確認するために、ネットワークがＵＥからの肯定応答メッセージを要求するときは常に、ネットワークは、第１のＮＡＳメッセージおよび第３のＮＡＳメッセージにおいてスタンドアロンのＵＥに対してＡＣＫ情報要素を示すことができる。ＵＥが、第１のＮＡＳメッセージおよび第３のＮＡＳメッセージ内でＡＣＫ情報要素を受信し、ＵＥが、第１のＮＡＳメッセージまたは第３のＮＡＳメッセージを適切に受信した場合、ＵＥは、ネットワークに対して、第２のＮＡＳメッセージまたは第４のＮＡＳメッセージを送る。第２のＮＡＳメッセージおよび第４のＮＡＳメッセージは、ＡＣＫ情報要素と、第１のＮＡＳメッセージまたは第３のＮＡＳメッセージ内でネットワークによって要求される情報要素とを含み得る。このメカニズムは、ＵＥとネットワークとの間でデータ設定を同期させるための一般的なメカニズムと考えることができる。
【００３６】
一例において、ネットワークは、ＡＣＫ情報要素を含まない。ＵＥが、ＮＡＳメッセージ内でＯＤＡＣＤ情報要素を受信した場合、ＵＥは、ＯＤＡＣＤの受信の肯定応答を示すＮＡＳメッセージを常に送信する。
【００３７】
一例において、ＵＥは、ＯＤＡＣＤの受信を明示的に示すいかなる情報要素も含めずに、第２のＮＡＳメッセージまたは第４のＮＡＳメッセージを送信する。ネットワークにおいて第２のＮＡＳメッセージまたは第４のＮＡＳメッセージを受信すると、ネットワークは、ＯＤＡＣＤがＵＥにおいて正常に受信されたと決定する。
【００３８】
あるいは、または上記に加えて、ＵＥは、特定のＮＡＳメッセージとＯＤＡＣＤ  ＩＥとの組み合わせに基づいて、ＯＤＡＣＤの受信の肯定応答を含むＮＡＳメッセージの送信が必要か否かを決定してもよい。特定のＮＡＳメッセージは、Configuration Update Command以外の、Registration Acceptメッセージ、DL NAS TRANSPORTメッセージまたは既存のＮＡＳメッセージであり得る。一例において、３ＧＰＰ技術基準は、受信された特定のＮＡＳメッセージがＯＤＡＣＤ  ＩＥを含む場合、および特定のＮＡＳメッセージがRegistration Acceptメッセージである場合、ＵＥは、ＯＤＡＣＤの受信の肯定応答を含むＮＡＳメッセージを送信すべきであると定義し得る。この状況において、ＵＥが、ＯＤＡＣＤ  ＩＥを含むRegistration Acceptメッセージを受信済みである場合、ＵＥは、ＯＤＡＣＤの受信の肯定応答を含むＮＡＳメッセージの送信が必要であると決定する。
【００３９】
第２の態様（解決策２は課題ステートメント２を解決する）：
ネットワークに対して現在のＯＤＡＣＤ構成を示すＵＥ。
【００４０】
解決策２の第２の態様のいくつかの実例は、下記の通りである。図２は、解決策２のステップを示す。
【００４１】
１．ＵＥが、ＮＡＳメッセージをネットワークへ送信する場合、ＵＥは、現在のＯＤＡＣＤを含む。１つの場合において、ＵＥがいかなるＯＤＡＣＤによっても構成されていない場合、ＵＥは、ＮＡＳメッセージ内でＯＤＡＣＤ  ＩＥを送信する。
【００４２】
２．ネットワークが、ＮＡＳメッセージ内でＯＤＡＣＤを受信した場合、ネットワークは、受信されたＯＤＡＣＤとＵＥの現在のＯＤＡＣＤとを比較する。ＵＥからの受信されたＯＤＡＣＤがネットワーク内の現在のＯＤＡＣＤと異なる場合、ネットワークは、ＮＡＳメッセージ内でＯＤＡＣＤを送信する。
【００４３】
３．ＵＥが、ＮＡＳメッセージ内でＯＤＡＣＤを受信した場合、ＵＥは、過去に構成されたいかなるＯＤＡＣＤも除去し、受信されたＯＤＡＣＤを記憶し、ＵＡＣ手続きにおいてＯＤＡＣＤを使用する。
【００４４】
解決策２の第２の態様の別の実例は、下記に説明される。
【００４５】
１．ＵＥは、ＵＥにおいて構成された現在のＯＤＡＣＤを含む第１のＮＡＳメッセージを送る。一例において、ＵＥがＯＤＡＣＤにより構成済みでない場合、ＯＤＡＣＤ  ＩＥは、ＯＤＡＣＤがＵＥにおいて構成されていないことを示す。ここで、ＯＤＡＣＤ  ＩＥは、ＯＤＡＣＤがＵＥにおいて構成されていないことを明示的に示してもよい。あるいは、ＯＤＡＣＤ  ＩＥは、ＯＤＡＣＤ  ＩＥの内容を空にすることによって、ＵＥにおいてＯＤＡＣＤが構成されていないことを黙示的に示してもよい。
【００４６】
一例において、ＵＥがＯＤＡＣＤにより構成されていない場合、ＵＥは、タイマＴ１を始動させ、タイマＴ１が終了したときに、ステップ１を実行する。
【００４７】
２−３．ネットワークにおいて第１のＮＡＳメッセージを受信すると、ネットワークは、受信されたＯＤＡＣＤがＵＥに対して構成された最新のＯＤＡＣＤであるか、または、ＵＥがいかなるＯＤＡＣＤでも構成されていないことをＯＤＡＣＤが示すかを決定する。受信されたＯＤＡＣＤが最新でない場合、またはＵＥがＯＤＡＣＤにより構成されていないことをＯＤＡＣＤが示す場合、ネットワークは、最新のＯＤＡＣＤを含む第２のＮＡＳメッセージをＵＥへ送信する。ネットワークはタイマＴ１を始動させる。
【００４８】
１つのシナリオにおいて、ネットワークは、ＯＤＡＣＤを含むＮＡＳメッセージの受信を示すＮＡＳメッセージを送るようにＵＥに要求するインジケータを含む。
【００４９】
４．第２のＮＡＳがメッセージを受信すると、ＵＥは、ＯＤＡＣＤの受信成功を示す情報要素を含む第３のＮＡＳメッセージを送信する。
【００５０】
一例において、ＵＥは、第３のＮＡＳメッセージ内にネットワークから受信されたＯＤＡＣＤを含める。
【００５１】
一例において、第２のＮＡＳメッセージがＯＤＡＣＤと、ＯＤＡＣＤの受信時にＮＡＳメッセージを送信するようにＵＥに要求する情報要素Ａｃｋとを含む場合、ＵＥは、第３のＮＡＳメッセージを送信する。
【００５２】
５．第３のＮＡＳメッセージの受信時に、ネットワークはタイマＴ１を停止させる。
【００５３】
一例において、第１のＮＡＳメッセージは、Registration Requestメッセージ、Service Requestメッセージ、UL NAS TRANSPORTメッセージまたは既存のＮＡＳメッセージまたは新しいＮＡＳメッセージである。第２のＮＡＳメッセージは、Registration Acceptメッセージ、ＴＳ  ２４．５０１において定義されるようなＤＬ  ＮＡＳ  ＴＲＡＮＳＰＯＲＴ、Configuration Update Command、任意の他の既存のＮＡＳメッセージまたは新しいＮＡＳメッセージである。第３のＮＡＳメッセージは、ＵＬ  ＮＡＳ  ＴＲＡＮＳＰＯＲＴ、Configuration Update Complete、ＴＳ  ２４．５０１において定義されるような既存のＮＡＳメッセージまたは新しいＮＡＳメッセージである。タイマＴ１は新しいタイマである。
【００５４】
タイマＴ１の単位は、ミリ秒、秒、分または時間であってもよい。
【００５５】
一例において、ネットワークは、第２のＮＡＳメッセージ内に、ＯＤＡＣＤの受信の肯定応答を送るようにＵＥに要求する情報要素を含める。情報要素の受信時に、ＵＥは、ＵＥがＯＤＡＣＤを受信したことを示す情報要素を含む第２のＮＡＳメッセージを送信する。別の例において、ＵＥは、第３のＮＡＳメッセージ内に、第２のＮＡＳメッセージにおいて受信されるようなＯＤＡＣＤ情報要素を含める。一例において、ＵＥは、ＯＤＡＣＤの受信を明示的に示すいかなる情報要素も含めずに、第２のＮＡＳメッセージまたは第４のＮＡＳメッセージを送信する。ネットワークにおいて第３のＮＡＳメッセージを受信すると、ネットワークは、ＯＤＡＣＤがＵＥにおいて正常に受信されたと決定する。
【００５６】
一例において、ＵＥおよびネットワークは、本文書の解決策１においてキャプチャされたようなステップ３〜１１に従うであろう。
【００５７】
一例において、解決策２におけるネットワークまたは５ＧＣは、ＡＭＦである。一例において、解決策２におけるネットワークはＭＭＥである。
【００５８】
別の態様
前述されたＯＤＡＣＤは、以下のパラメータを含み得る：
【００５９】
ａ）一致するoperator-defined access category definitionsをＵＥがどのような順序で評価するべきかを示す優先値；
【００６０】
ｂ）operator defined access category番号、すなわち、アクセスカテゴリがＵＥへ送られているＰＬＭＮにおけるアクセスカテゴリを一意に識別する、３２〜６３の範囲のアクセスカテゴリ番号；および
【００６１】
ｃ）１つまたは複数のアクセスカテゴリ基準タイプ、および関連付けられたアクセスカテゴリ基準タイプ値。アクセスカテゴリ基準タイプは、下記のうちの１つに設定され得る：
１）ＤＮＮ名；
２）５ＱＩ；
３）アクセス試行をトリガするアプリケーションのＯＳ  Ｉｄ＋ＯＳアプリケーションＩｄ；または
４）Ｓ−ＮＳＳＡＩ；および
【００６２】
ｄ）任意選択で、確立要因を決定するためにアクセス識別と組み合わせて使用される、標準化されたアクセスカテゴリ。
【００６３】
ここで、各operator-defined access category definitionsは、異なる優先値を有してもよい。いくつかのoperator-defined access category definitionsは、同じoperator defined access category番号を有することができる。
【００６４】
一例において、１つまたは複数のoperator-defined access category definitionsを有するＮＡＳシグナリングメッセージを受信すると、ＵＥは、登録されたＰＬＭＮに対してoperator-defined access category definitionsを記憶するべきである。
【００６５】
一例において、operator-defined access category definitionsを有しないＮＡＳシグナリングメッセージを受信すると、ＵＥは、登録されたＰＬＭＮに対して記憶されたoperator-defined access category definitionsを削除するべきである。
【００６６】
一例において、ＵＥがオフにされる場合、オン後にoperator-defined access category definitionsが使用され得るように、ＵＥは、operator-defined access category definitionsを保持するべきである。
【００６７】
一例において、ＵＥが、過去に選択されたＰＬＭＮと等価でない、新しいＰＬＭＮを選択する場合、ＵＥは過去に選択されたＰＬＭＮに対して構成されたoperator-defined access category definitionsの使用を停止するべきであり、過去に選択されたＰＬＭＮに対して構成されたoperator-defined access category definitionsを保持するべきである。
【００６８】
別の態様
上述されたいかなるＮＡＳメッセージも、ＮＧＲＡＮノード（すなわちｇＮＢ）を介してＵＥとＡＭＦとの間で送信され得る。
【００６９】
さらに、上述されたシーケンス、手続きまたはメッセージの一部は、１つまたは複数の発明を識別するために必ずしも必要とは限らないことがあり得る。
【００７０】
本明細書における、ユーザー装置（User Equipment、 UE）（もしくは移動局（mobile station）、移動端末（mobile terminal）、 モバイルデバイス（mobile device）、または無線端末（wireless device）などを含む）は、無線インターフェースを介して、ネットワークに接続されたエンティティである。
【００７１】
本明細書のUEは、専用の通信装置に限定されるものではなく、本明細書中に記載されたUEとしての通信機能を有する次のような任意の機器であっても良い。
【００７２】
用語として「（3GPPで使われる単語としての）ユーザー端末（User Equipment、UE）」、「移動局」、「移動端末」、「モバイルデバイス」、「無線端末」のそれぞれは、一般的に互いに同義であることを意図しており、ターミナル、携帯電話、スマートフォン、タブレット、セルラIoT端末、IoTデバイス、などのスタンドアローン移動局であってもよい。
【００７３】
なお用語としての「UE」「無線端末」は、長期間にわたって静止している装置も包含することが理解されよう。
【００７４】
またUEは、例えば、生産設備・製造設備および／またはエネルギー関連機械（一例として、ボイラー、機関、タービン、ソーラーパネル、風力発電機、水力発電機、火力発電機、原子力発電機、蓄電池、原子力システム、原子力関連機器、重電機器、真空ポンプなどを含むポンプ、圧縮機、ファン、送風機、油圧機器、空気圧機器、金属加工機械、マニピュレータ、ロボット、ロボット応用システム、工具、金型、ロール、搬送装置、昇降装置、貨物取扱装置、繊維機械、縫製機械、印刷機、印刷関連機械、紙工機械、化学機械、鉱山機械、鉱山関連機械、建設機械、建設関連機械、農業用機械および／または器具、林業用機械および／または器具、漁業用機械および／または器具、安全および／または環境保全器具、トラクター、軸受、精密ベアリング、チェーン、歯車（ギアー）、動力伝動装置、潤滑装置、弁、管継手、および／または上記で述べた任意の機器又は機械のアプリケーションシステムなど）であっても良い。
【００７５】
またUEは、例えば、輸送用装置（一例として、車両、自動車、二輪自動車、自転車、列車、バス、リヤカー、人力車、船舶（ship and other watercraft）、飛行機、ロケット、人工衛星、ドローン、気球など）であっても良い。
【００７６】
またUEは、例えば、情報通信用装置（一例として、電子計算機及び関連装置、通信装置及び関連装置、電子部品など）であっても良い。
【００７７】
またUEは、例えば、冷凍機、冷凍機応用製品および装置、商業およびサービス用機器、自動販売機、自動サービス機、事務用機械及び装置、民生用電気・電子機械器具（一例として音声機器、スピーカー、ラジオ、映像機器、テレビ、オーブンレンジ、炊飯器、コーヒーメーカー、食洗機、洗濯機、乾燥機、扇風機、換気扇及び関連製品、掃除機など）であっても良い。
【００７８】
またUEは、例えば、電子応用システムまたは電子応用装置（一例として、X線装置、粒子加速装置、放射性物質応用装置、音波応用装置、電磁応用装置、電力応用装置など）であっても良い。
【００７９】
またUEは、例えば、電球、照明、計量機、分析機器、試験機及び計測機械（一例として、煙報知器、対人警報センサ、動きセンサ、無線タグなど）、時計（watchまたはclock）、理化学機械、光学機械、医療用機器および／または医療用システム、武器、利器工匠具、または手道具などであってもよい。
【００８０】
またUEは、例えば、無線通信機能を備えたパーソナルデジタルアシスタントまたは装置（一例として、無線カードや無線モジュールなどを取り付けられる、もしくは挿入するよう構成された電子装置（例えば、パーソナルコンピュータや電子計測器など））であっても良い。
【００８１】
またUEは、例えば、有線や無線通信技術を使用した「あらゆるモノのインターネット（IoT：Internet of Things）」において、以下のアプリケーション、サービス、ソリューションを提供する装置またはその一部であっても良い。
【００８２】
IoTデバイス（もしくはモノ）は、デバイスが互いに、および他の通信デバイスとの間で、データ収集およびデータ交換することを可能にする適切な電子機器、ソフトウェア、センサー、ネットワーク接続、などを備える。またIoTデバイスは、内部メモリの格納されたソフトウェア指令に従う自動化された機器であっても良い。またIoTデバイスは、人間による監督または対応を必要とすることなく動作しても良い。またIoTデバイスは、長期間にわたって備え付けられている装置および／または、長期間に渡って非活性状態（inactive）状態のままであっても良い。またIoTデバイスは、据え置き型な装置の一部として実装され得る。IoTデバイスは、非据え置き型の装置（例えば車両など）に埋め込まれ得る、または監視される／追跡される動物や人に取り付けられ得る。
【００８３】
人間の入力による制御またはメモリに格納されるソフトウェア命令、に関係なくデータを送受信する通信ネットワークに接続することができる、任意の通信デバイス上に、IoT技術が実装できることは理解されよう。
【００８４】
IoTデバイスが、機械型通信（Machine Type Communication、MTC）デバイス、またはマシンツーマシン（Machine to Machine、M2M）通信デバイス、NB-IoT(Narrow Band-IoT) UEと呼ばれることもあるのは理解されよう。またUEが、１つまたは複数のIoTまたはMTCアプリケーションをサポートすることができることが理解されよう。MTCアプリケーションのいくつかの例は、以下の表（出典：３ＧＰＰ  ＴＳ  ２２．３６８  Ｖ１４．０．１（２０１７−０８） Annex B、その内容は参照により本明細書に組み込まれる）に列挙されている。このリストは、網羅的ではなく、一例としてのMTCアプリケーションを示すものである。
【００８５】
【表１】
0006825746.tif 000002
【００８６】
アプリケーション、サービス、ソリューションは、一例として、MVNO（Mobile Virtual Network Operator：仮想移動体通信事業者）サービス/システム、防災無線サービス/システム、構内無線電話（PBX（Private Branch eXchange：構内交換機））サービス/システム、PHS/デジタルコードレス電話サービス/システム、POS（Point of sale）システム、広告発信サービス/システム、マルチキャスト（MBMS（Multimedia Broadcast and Multicast Service））サービス/システム、V2X（Vehicle to Everything：車車間通信および路車間・歩車間通信）サービス/システム、列車内移動無線サービス/システム、位置情報関連サービス/システム、災害/緊急時無線通信サービス/システム、IoT（Internet of Things：モノのインターネット）サービス/システム、コミュニティーサービス/システム、映像配信サービス/システム、Femtoセル応用サービス/システム、VoLTE（Voice over LTE）サービス/システム、無線TAGサービス/システム、課金サービス/システム、ラジオオンデマンドサービス/システム、ローミングサービス/システム、ユーザー行動監視サービス/システム、通信キャリア/通信NW選択サービス/システム、機能制限サービス/システム、PoC（Proof of Concept）サービス/システム、端末向け個人情報管理サービス/システム、端末向け表示・映像サービス/システム、端末向け非通信サービス/システム、アドホックNW/DTN（Delay Tolerant Networking）サービス/システムなどであっても良い。
なお、上述したUEのカテゴリは、本明細書に記載された技術思想及び各態様の応用例に過ぎない。これらの例に限定されるものではなく、当業者は種々の変更が可能であることは勿論である。
【００８７】
図３は、ＵＥ（３００）の主要構成要素を示すブロック図である。図示されるように、ＵＥは、１つまたは複数のアンテナ（３０５）を介して、接続されたノードへ信号を送信し、接続されたノードから信号を受信するように動作可能であるトランシーバ回路（３０４）を含む。図３に必ずしも示されているとは限らないが、ＵＥは、当然ながら、従来のモバイルデバイスの（ユーザインターフェースなどの）あらゆる通常の機能性を有しており、これは、必要に応じて、ハードウェア、ソフトウェアおよびファームウェアのうちのいずれか１つ、または、これらの任意の組み合わせによって提供され得る。ソフトウェアは、メモリにプリインストールされていてもよく、および／または、例えば、電気通信ネットワークを介して、もしくは取外し可能なデータストレージデバイス（ＲＭＤ：ｒｅｍｏｖａｂｌｅ  ｄａｔａ  ｓｔｏｒａｇｅ  ｄｅｖｉｃｅ）から、ダウンロードされてもよい。
【００８８】
コントローラ（３０１）は、メモリ（３０２）に記憶されたソフトウェアに従って、ＵＥの動作を制御する。例えば、コントローラは、中央処理装置（ＣＰＵ）によって実現され得る。ソフトウェアは、とりわけ、オペレーティングシステムと、少なくとも送受信機制御モジュール（３０７）を有する通信制御モジュール（３０６）とを含む。通信制御モジュール（３０６）は（その送受信機制御サブモジュールを使用して）、ＵＥと他のノード、例えば、基地局／（Ｒ）ＡＮノード、ＭＭＥ、ＡＭＦ（および他のコアネットワークノード）などとの間のシグナリングおよびアップリンク／ダウンリンクデータパケットを処理する（生成する／送る／受信するステップ）役割を負う。そのようなシグナリングは、例えば、接続確立およびメンテナンスに関連する、適切にフォーマットされたシグナリングメッセージ（例えばＲＲＣメッセージ）、周期的位置更新に関連するメッセージ（例えば、追跡エリア更新、ページングエリア更新情報、位置エリア更新）などのＮＡＳメッセージ等を含み得る。
【００８９】
図４は、例示的な（Ｒ）ＡＮノード（４００）、例えば基地局（ＬＴＥにおける「ｅＮＢ」、５Ｇにおける「ｇＮＢ」）の主要な構成要素を示すブロック図である。図示されるように、（Ｒ）ＡＮノード（４００）は、１つまたは複数のアンテナ（４０８）を介して、接続されたＵＥへ信号を送信し、接続されたＵＥから信号を受信し、ネットワークインターフェース（４０６）を介して、（直接的にまたは間接的に）他のネットワークノードへ信号を送信し、他のネットワークノードから信号を受信するように動作可能である送受信機回路（４０７）を含む。コントローラ（４０１）は、メモリ（４０２）に記憶されたソフトウェアに従って、（Ｒ）ＡＮノードの動作を制御する。例えば、コントローラは、中央処理装置（ＣＰＵ）によって実現され得る。ソフトウェアは、メモリにプリインストールされていてもよく、および／または、例えば、電気通信ネットワークを介して、もしくは取外し可能なデータストレージデバイス（ＲＭＤ）から、ダウンロードされてもよい。ソフトウェアは、とりわけ、オペレーティングシステムと、少なくとも送受信機制御モジュール（４０４）を有する通信制御モジュールとを含む。
【００９０】
通信制御モジュール（４０３）は（その送受信機制御サブモジュールを使用して）、（Ｒ）ＡＮノードと他のノード、例えば、ＵＥ、ＭＭＥ、ＡＭＦなどとの間のシグナリングを（例えば、直接的にまたは間接的に）処理する（生成する／送る／受信する）役割を負う。シグナリングは、例えば、（特定のＵＥについての）無線接続および位置手続きに関する、特に、接続確立およびメンテナンス（例えば、ＲＲＣ接続確立および他のＲＲＣメッセージ）に関する、適切にフォーマットされたシグナリングメッセージ、周期的位置更新に関連するメッセージ（例えば、追跡エリア更新、ページングエリア更新、位置エリア更新）、Ｓ１  ＡＰメッセージおよびＮＧ  ＡＰメッセージ（すなわち、Ｎ２基準点によるメッセージ）等を含んでもよい。そのようなシグナリングは、例えば、送る場合にはブロードキャスト情報（例えば、マスター情報およびシステム情報）も含んでもよい。
【００９１】
コントローラは、実装される場合、ＵＥモビリティ推定および／または移動軌跡推定などの関連するタスクを処理するように（ソフトウェアまたはハードウェアによって）も構成される。
【００９２】
図５は、ＡＭＦ（５００）の主要な構成要素を示すブロック図である。ＡＭＦ（５００）は、５ＧＣに含まれる。図示されるように、ＡＭＦ（５００）は、ネットワークインターフェース（５０６）を介して、他のノード（ＵＥを含む）へ信号を送信し、他のノードから信号を受信するように動作可能である送受信機回路（５０７）を含む。コントローラ（５０１）は、メモリに記憶されたソフトウェアに従って、ＡＭＦ（５００）の動作を制御する。例えば、コントローラは、中央処理装置（ＣＰＵ）によって実現され得る。ソフトウェアは、メモリにプリインストールされていてもよく、および／または、例えば、電気通信ネットワークを介して、もしくは取外し可能なデータストレージデバイス（ＲＭＤ）から、ダウンロードされてもよい。ソフトウェアは、とりわけ、オペレーティングシステムと、少なくとも送受信機制御モジュール（５０４）を有する通信制御モジュール（５０３）とを含む。
【００９３】
通信制御モジュールは（その送受信機制御サブモジュールを使用して）、ＡＭＦと他のノード、例えば、ＵＥ、基地局／（Ｒ）ＡＮノード（例えば、「ｇＮＢ」または「ｅＮＢ」）などとの間のシグナリングを（直接的にまたは間接的に）処理する（生成する／送る／受信する）役割を負う。そのようなシグナリングは、例えば、本明細書において説明される手続きに関連する、適切にフォーマットされたシグナリングメッセージ、例えば、ＵＥからおよびＵＥへＮＡＳメッセージを伝達するためのＮＧ  ＡＰメッセージ（すなわち、Ｎ２基準点によるメッセージ）等を含んでもよい。
【００９４】
当業者によって認識されるように、本開示は、方法およびシステムとして具現化され得る。したがって、本開示は、完全なハードウェア実施形態、ソフトウェア実施形態、またはソフトウェア態様とハードウェア態様とを組み合わせた実施形態の形式を取り得る。
【００９５】
ブロック図の各ブロックが、コンピュータプログラム命令によって実装され得ることが理解されるであろう。これらのコンピュータプログラム命令は、汎用コンピュータ、専用コンピュータ、または機械を生成するための他のプログラム可能なデータ処理装置のプロセッサへ提供され、これにより、コンピュータまたは他のプログラム可能なデータ処理装置のプロセッサを介して実行される命令が、フローチャートにおいて特定される機能／行為、および／またはブロック図の１つもしくは複数のブロックを実装するための手段を生み出す。汎用プロセッサは、マイクロプロセッサであってもよいが、代替案において、プロセッサは、任意の従来のプロセッサ、コントローラ、マイクロコントローラ、または状態機械であってもよい。プロセッサは、コンピューティングデバイス、例えば、複数のマイクロプロセッサ、１つもしくは複数のマイクロプロセッサ、または任意の他のそのような構成の組み合わせとしても実装され得る。
【００９６】
本明細書において開示される例に関連して説明される方法またはアルゴリズムは、直接ハードウェアにおいて、プロセッサによって実行されるソフトウェアモジュールにおいて、またはこれら２つの組み合わせにおいて、具体化され得る。ソフトウェアモジュールは、ＲＡＭメモリ、フラッシュメモリー、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において知られている任意の他の形態の記憶媒体に常駐してもよい。記憶媒体は、プロセッサが記憶媒体から情報を読み出し、記憶媒体に情報を書き込むことができるように、プロセッサに結合され得る。代替案において、記憶媒体は、プロセッサと一体であってもよい。プロセッサおよび記憶媒体は、ＡＳＩＣに常駐してもよい。
【００９７】
開示されている例の前述の説明は、いかなる当業者も本開示を作製または使用することを可能にするように提供されている。これらの例に対する様々な変形は、当業者に容易に明らかとなり、本明細書において定義される一般的な原理は、本開示の趣旨または範囲から逸脱せずに、他の例に適用され得る。したがって、本開示は、本明細書において示された例に限定されるようには意図されていないが、本明細書において開示された原理および新規な特徴と一致する、最も広い範囲に合致するべきものである。
【００９８】
本出願は、２０１８年９月１９日に出願されたインド特許出願第２０１８１１０３５３１８号に基づいており、このインド特許出願の優先権の利益を主張し、このインド特許出願の開示内容は、その全体が参照によって本明細書に組み込まれている。
【符号の説明】
【００９９】
３００  ＵＥ
３０１  コントローラ
３０２  メモリ
３０３  ユーザインターフェース
３０４  送受信機回路
３０５  アンテナ
３０６  通信制御モジュール
３０７  送受信機制御モジュール
３０８  オペレーティングシステム
４００  （Ｒ）ＡＮノード
４０１  コントローラ
４０２  メモリ
４０３  通信制御モジュール
４０４  送受信機制御モジュール
４０５  オペレーティングシステム
４０６  ネットワークインターフェース
４０７  送受信機回路
４０８  アンテナ
５００  ＡＭＦ
５０１  コントローラ
５０２  メモリ
５０３  通信制御モジュール
５０４  送受信機制御モジュール
５０５  オペレーティングシステム
５０６  ネットワークインターフェース
５０７  送受信機回路
【図１】
0006825746.tif 000003
【図２】
0006825746.tif 000004
【図３】
0006825746.tif 000005
【図４】
0006825746.tif 000006
【図５】
0006825746.tif 000007